(57)【特許請求の範囲】
【請求項１】
サンバイザ本体の片側面に設けられた収納ケースに化粧用ミラーを備えたミラーケースを取付けるための車両用サンバイザのミラーケース取付構造であって、
前記ミラーケースの一側には前記収納ケースの一側内壁面に設けられた第１係合部に差込まれて係止される差込片が形成され、
前記ミラーケースの他側に形成されたランプ収納室には弾性クリップが組付けられ、前記弾性クリップには前記ランプ収納室の内壁を貫通して突出されることで前記収納ケースの他側内壁面に設けられた第２係合部に係合する係着部が形成されていることを特徴とする車両用サンバイザのミラーケース取付構造。
【請求項２】
請求項１に記載の車両用サンバイザのミラーケース取付構造において、弾性クリップは１本のばね鋼線より折曲形成されていることを特徴とする車両用サンバイザのミラーケース取付構造。
【請求項３】
請求項２に記載の車両用サンバイザのミラーケース取付構造において、弾性クリップは互いに弾性拡縮される両脚片を備え、その一方の脚片がランプ収納室の一側壁に係止され、他方の脚片には、前記ランプ収納室の他側壁を貫通して突出することで前記収納ケースの第２係合部に係合する係着部が形成されていることを特徴とする車両用サンバイザのミラーケース取付構造。
【発明の詳細な説明】
【０００１】
【産業上の利用分野】
この発明は車両用サンバイザのミラーケース取付構造に関する。
【０００２】
【従来の技術】
従来、図８と図９に示すように、サンバイザ本体１０３  の片側面に埋込み状に設けられた収納ケース１１１  に対し化粧用ミラー１２２  を備えたミラーケース１２１  を取付けるために、ミラーケース１２１  の一側には収納ケース１１１  の一側内壁面に設けられた係合部（図示しない）に差込まれて係止される所要数の差込片１２３  が形成されている。
さらに、ミラーケース１２１  の他側に形成されたランプ収納室１２４  の上下両端部に設けられた取付座部１２４ａには、締付ねじ１３０  が挿通される取付孔１２４ｂが貫設される一方、収納ケース１１１  の底板部１１１ａには、前記締付ねじ１３０  がねじ込まれるナット１３０ａが固着されている。そして、収納ケース１１１  の係合部に、ミラーケース１２１  の一側の差込片１２３  を差込みながら収納ケース１１１  にミラーケース１２１  を嵌込んだ後、締付ねじ１３０  をミラーケース１２１  の各取付孔１２４ｂを通して収納ケース１１１  のナット１３０ａにそれぞれねじ込むことで、収納ケース１１１  にミラーケース１２１  が取付けられるようになっている。
【０００３】
【発明が解決しようとする課題】
ところで、前記した従来の取付構造にあっては、締付ねじ１３０  をミラーケース１２１  の各取付孔１２４ｂを通して収納ケース１１１  のナット１３０ａにそれぞれねじ込む作業に多くの手間を必要とする。さらに、各取付孔１２４ｂとナット１３０ａとが位置づれしている場合には、締付ねじ１３０  を取付孔１２４ｂを通してナット１３０ａにねじ込むことができなくなる。
この発明の目的は、前記従来の問題点に鑑み、サンバイザ本体の収納ケースにミラーケースを容易にかつ手早く確実に取付けることができる車両用サンバイザのミラーケース取付構造を提供することである。
【０００４】
【課題を解決するための手段】
前記目的を達成するために、請求項１の発明に係る車両用サンバイザのミラーケース取付構造は、サンバイザ本体の片側面に設けられた収納ケースに化粧用ミラーを備えたミラーケースを取付けるための車両用サンバイザのミラーケース取付構造であって、
前記ミラーケースの一側には前記収納ケースの一側内壁面に設けられた第１係合部に巻込まれて係止される差込片が形成され、
前記ミラーケースの他側に形成されたランプ収納室には弾性クリップが組付けられ、前記弾性クリップには前記ランプ収納室の内壁を貫通して突出されることで前記収納ケースの他側内壁面に設けられた第２係合部に係合する係着部が形成されている。
また、請求項２の発明に係る車両用サンバイザのミラーケース取付構造は、請求項１に記載の車両用サンバイザのミラーケース取付構造において、弾性クリップは１本のばね鋼線より折曲形成されている。
請求項３の発明に係る車両用サンバイザのミラーケース取付構造は、請求項２に記載の車両用サンバイザのミラーケース取付構造において、弾性クリップは互いに弾性拡縮される両脚片を備え、その一方の脚片がランプ収納室の一側壁に係止され、他方の脚片には、前記ランプ収納室の他側壁を貫通して突出することで前記収納ケースの第２係合部に係合する係着部が形成されている。
【０００５】
【作用】
前記したように構成されるこの発明に係る車両用サンバイザのミラーケース取付構造においてサンバイザ本体の収納ケースにミラーケースを取付ける場合、まず、収納ケースの第１係合部に対しミラーケースの差込片が差込まれながら、収納ケースの収納室に対し、その前方開口部側からミラーケースが嵌込まれる。そして、前記ミラーケースのランプ収納室に組付けられた弾性クリップの係着部がランプ収納室の内壁を貫通して突出され、収納ケースの第２係合部に係合されることで、前記収納ケースにミラーケースが取付けれる。
【０００６】
【実施例】
（実施例１）
この発明の実施例１を図１〜図３にしたがって説明する。
図１と図２において、支軸１の横軸部２に回動可能に装着されるサンバイザ本体３の片側面には、方形皿形状をなす収納ケース１１が埋込み状に装着されている。
前記収納ケース１１の左右の両内壁面のうち、一方の内壁面には、ミラーケース２１の一側を係止する溝状の第１係合部１２が凹設され、同収納ケース１１の他方の内壁面にはミラーケースの他側を係止する突片状の第２係合部１３が突設されている。
【０００７】
前記収納ケース１１の収納室には、その開口部からミラーケース２１が嵌込まれて装着される。
前記ミラーケース２１には、化粧用ミラー２２がその鏡面を露出して組付けられており、同ミラーケース２１の一側外面には収納ケース１１の第１係合部１２に差込まれて係止される所要数の差込片２３が突設されている。
また、ミラーケース２１の他側にはランプ収納室２４が形成され、該ランプ収納室２４の中央部には、一対のランプホルダ２５によって照明ランプ２６が取替え可能に組付けられている。なお、図２に示すように、ランプ収納室２４の前方開口部にはレンズ２７が嵌込みによって装着される。
【０００８】
前記ミラーケース２１のランプ収納室２４には、同ミラーケース２１の他側を収納ケース１１の第２係合部１３に係止する弾性クリップ３１が組付けられている。
前記弾性クリップ３１は１本のばね鋼線が略Ｕ字状に折曲されて形成され、その両側の第１，第２の両脚片３２，３３が互いに弾性縮拡されるようになっている。
さらに、第１脚片３２がランプ収納室２４の一側内壁面に圧接された状態において、第２脚片３３の略中央部には、ランプ収納室２４の他側内壁面に貫設された長孔２８を貫通して突出する係着部３４が折曲形成されている。そして、弾性クリップ３１は、その第１，第２の両脚片３２，３３が互いに弾性縮小された状態のもとで、ランプ収納室２４の両内壁面の間に嵌込まれた後、その弾性縮小に基づく弾発力によって、第１脚片３２がランプ収納室２４の一側内壁面に圧接し、第２脚片３３の係着部３４がランプ収納室２４の他側内壁面の長孔２８を貫通して突出することで、同係着部３４が収納ケース１１の第２係合部１３に係合するようになっている。
【０００９】
また、この実施例１において、第２脚片３３の係着部３４は略Ｖ字状に折曲形成され、その係着部３４の折曲基部が長孔２８の両端部に圧接することで、弾性クリップ３１の前後方向のガタ付きが防止されるようになっている。さらに、ランプ収納室２４の一側内壁面には、弾性クリップ３１の第１脚片３２に係合して外れを防止する係止片２９が突設されている。
【００１０】
この実施例は上述したように構成される。したがって、サンバイザ本体３の収納ケース１１にミラーケース２１を取付ける場合、まず、収納ケース１１の第１係合部１２に対しミラーケース２１の差込片２３が差込まれながら、収納ケース１１の収納室に対し、その前方開口部側からミラーケース２１が嵌込まれる。
前記収納ケース１１にミラーケース２１を嵌込む際、ミラーケース２１のランプ収納室２４にあらかじめ弾性クリップ３１が組付けられているときには、その弾性クリップ２１の第２脚片３３の係着部３４が収納ケース１１の第２係合部１３に当たることがない位置まで、第２脚片３３が第１脚片３２に向けて弾性的に変形される。そして、第２脚片３３の係着部３４が第２係合部１３を通過したところで、同第２脚片３３が解放される。すると、第２脚片３３の弾性力によって同第２脚片３３の係着部３４が第２係合部１３に係合する位置まで突出され、これによって収納ケース１１に対するミラーケース２１が取付けが完了する。
【００１１】
なお、前記したように、収納ケース１１にミラーケース２１を嵌込んだ後、そのミラーケース２１のランプ収納室２４に弾性クリップ３１を組付けて収納ケース１１にミラーケース２１を取付けることもできる。
【００１２】
（実施例２）
次に、この発明の実施例２を図４と図５にしたがって説明する。
この実施例において、弾性クリップ３１の第１脚片３２の中央部には、第２脚片３３の係着部３４と略対称状にＶ字状の係止部３５が折曲形成され、その係止部３５がランプ収納室２４の一側内壁面に貫設された係合孔３０に差込まれることで、弾性クリップ３１の外れが防止されるようになっており、ランプ収納室２４の一側内壁面には、実施例１と異なり係合片２９が突設されていない。
他の部分及び部材は実施例１と同様にして構成される。したがって、この実施例２においても、実施例１とほぼ同様の作用・効果を奏する。
【００１３】
（実施例３）
次に、この発明の実施例３を図６と図７にしたがって説明する。
この実施例３において、弾性クリップ３１は、１本のばね鋼線が折返し状に折曲され、その折返し部を係着部３４とし、両端部寄り部分を回動部３６として、ミラーケース２１のランプ収納室２４の底板２４ａ  に貫設された取付孔２４ｂ  に回動可能に差込まれている。さらに、弾性クリップ３１の両端部は、ランプ収納室２４の底板２４ａ  の裏面に沿いかつ互いに反対方向へ折曲されることで係止片３７が形成されている。
したがって、この実施例３においては、ランプ収納室２４の底板２４ａ  の取付孔２４ｂ  に弾性クリップ３１がその回動部３６を中心として回動可能に組付けられる。そして、図７の鎖線に示す非係合位置から、実線に示す係合位置まで弾性クリップ３１を回動することで、同弾性クリップ３１の係着部３４が収納ケース１１の第２係合部１３に弾性的に圧接して係合するようになっている。
その他の部分及は実施例１と同様として構成をされる。
【００１４  】
【発明の効果】
以上述べたように、この発明によれば、サンバイザ本体の収納ケースの第１係合部に、ミラーケースの一側の差込片を差込んだ後、同ミラーケースのランプ収納室に組付けられた弾性クリップの係着部を前記収納ケースの第２係合部に係合させることで、前記収納ケースに対しミラーケースを取付けることができ、ミラーケースの取付けを容易にかつ手早く確実に行うことができる。
【図面の簡単な説明】
【図１】この発明の実施例１のミラーケース取付構造が採用された車両用サンバイザを示す斜視図である。
【図２】同じく図１のＩＩ−ＩＩ線に基づく断面図である。
【図３】同じく弾性クリップを示す斜視図である。
【図４】この発明の実施例２のミラーケース取付構造の弾性クリップを示す斜視図である。
【図５】同じくミラーケース取付構造を示す断面図である。
【図６】この発明の実施例３のミラーケース取付構造を示す断面図である。
【図７】同じく弾性クリップを収納ケースの第２係合部に係合させる状態を示す説明図である。
【図８】従来のミラーケース取付構造を示す斜視図である。
【図９】同じく図８のＩＸ−ＩＸ線に基づく断面図である。
【符号の説明】
３  サンバイザ本体
１１  収納ケース
１２  第１係合部
１３  第２係合部
２１  ミラーケース
２２  化粧用ミラー
２３  差込片
２４  ランプ収納室
３１  弾性クリップ
３２  第１脚片
３３  第２脚片
３４  係着部
【図１】
0003553192.tif 000002
【図２】
0003553192.tif 000003
【図３】
0003553192.tif 000004
【図４】
0003553192.tif 000005
【図５】
0003553192.tif 000006
【図６】
0003553192.tif 000007
【図７】
0003553192.tif 000008
【図８】
0003553192.tif 000009
【図９】
0003553192.tif 000010